(57)【要約】【課題】空気流れの偏流によって発生する乱流音を低減することが可能な空気調和装置の室外ユニットを提供する。【解決手段】室外ユニット１は、熱交換器３０と、ユニットケーシング２と、ファン１１ａ、１１ｂと、面部材２０と、を備えている。熱交換器３０は、空気が通り抜けるときに、空気と熱交換器３０内を流れる冷媒との間で熱交換を行なわせる。ユニットケーシング２は、ベルマウス２７ａ、２７ｂが設けられた左前板２２ａを有しており、熱交換器３０を格納している。ファン１１ａ、１１ｂは、ベルマウス２７ａ、２７ｂと対応して配置されており、ユニットケーシング２の背面側から正面側に向かう空気流れを生成する。面部材２０は、ベルマウス２７ａ、２７ｂの空気流入端と略同じ前後位置に配置された面２０ａが含まれている。【選択図】図５
2008128563.tif 000002
【特許請求の範囲】
【請求項１】
空気が通り抜けるときに、前記空気と内部を流れる冷媒との間で熱交換を行なわせる熱交換器（３０）と、
ベルマウス（２７ａ、２７ｂ）が設けられた正面部（２２ａ）を少なくとも有し、前記熱交換器（３０）を格納するケーシング（２）と、
前記ベルマウス（２７ａ、２７ｂ）に対応して配置されており、前記ケーシング（２）の背面側から正面側に向かう空気流れを生成するファン（１１ａ、１１ｂ）と、
前記ベルマウス（２７ａ、２７ｂ）の空気流入端と略同じ前後位置に配置された面（２０ａ）を含む面部材（２０）と、
を備えている空気調和装置の室外ユニット（１）。
【請求項２】
前記熱交換器（３０）は、正面視において、前記ファン（１１ａ、１１ｂ）から離れた位置に熱交換部（３２）を有しており、
前記面部材（２０）は、前記熱交換部（３２）と面する場所にだけ配置されている、
請求項１に記載の空気調和装置の室外ユニット（１）。
【請求項３】
前記熱交換器（３０）は、前記ベルマウス（２７ａ、２７ｂ）に近い位置に配置された第１熱交換部（３１）と、前記第１熱交換部（３１）の上方に継ぎ足された第２熱交換部（３２）と、を有しており、
前記面部材（２０）は、前記ベルマウス（２７ａ、２７ｂ）の上方に配置されている、
請求項１に記載の空気調和装置の室外ユニット（１）。
【請求項４】
前記ファン（１１ａ、１１ｂ）を支持するファンモータ台（１２）をさらに備え、
前記面部材（２０）は、前記ファンモータ台（１２）に保持されている、
請求項１から３のいずれか１項に記載の空気調和装置の室外ユニット（１）。
【請求項５】
前記面部材（２０）は、正面視における水平方向の幅（Ｈ１）が前記ベルマウス（２７ａ、２７ｂ）の正面視における水平方向の幅（Ｈ２）以上となるように形成されている、
請求項３に記載の空気調和装置の室外ユニット（１）。
【発明の詳細な説明】
【技術分野】
【０００１】
本発明は、正面側から空気を排気する空気調和装置の室外ユニットに関する。
【背景技術】
【０００２】
一般に、空気調和装置の室外ユニットでは、外気を背面側から吸い込み、吸い込んだ外気と熱交換器の内部を流れる冷媒との間で熱交換を行なって、正面側から外部へ排気するものがある。
【０００３】
このような室外ユニットの中には、例えば、特許文献１に示すように、羽根ピッチ音、または、フィン、ブレード付近での騒音を低減する空気調和装置の室外ユニットもある。
【特許文献１】特開２００５−１９５２１８号公報（平成１７年７月２１日公開）
【発明の開示】
【発明が解決しようとする課題】
【０００４】
しかしながら、特許文献１に示す空気調和装置の室外ユニットでは、以下に示すような問題点を有している。
【０００５】
すなわち、特許文献１に示す空気調和装置の室外ユニットでは、背面側から正面側へと向かう空気流れの偏流によって発生する乱流音を低減することは全く検討されていない。そのため、空気流れの偏流によって発生する乱流音を低減することができなかった。
【０００６】
本発明の課題は、空気流れの偏流によって発生する乱流音を低減することが可能な空気調和装置の室外ユニットを提供することにある。
【課題を解決するための手段】
【０００７】
第１の発明に係る空気調和装置の室外ユニットは、熱交換器と、ケーシングと、ファンと、面部材と、を備えている。熱交換器は、空気が通り抜けるときに、空気と内部を流れる冷媒との間で熱交換を行なわせる。ケーシングは、ベルマウスが設けられた正面部を少なくとも有し、熱交換器を格納する。ファンは、ベルマウスに対応して配置されており、ケーシングの背面側から正面側に向かう空気流れを生成する。面部材は、ベルマウスの空気流入端と略同じ前後位置に配置された面を含んでいる。
【０００８】
一般に、正面側から空気を排気する空気調和装置の室外ユニットでは、背面側から正面側へと流れる空気流れが発生する。このような、空気流れの中には、ケーシングの正面部付近まで一旦流れてから大きく偏流し、ケーシングの正面部よりも背面側に位置するベルマウスの空気流入端付近を経由して外部へと流れる空気流れもある。そして、こうした空気流れの偏流は、乱流音を発生させる原因となる場合もある。
【０００９】
これに対して、第１の発明に係る空気調和装置の室外ユニットでは、面部材は、ベルマウスの空気流入端と略同じ前後位置に配置された面を含んでいる。このため、ケーシングの背面側から正面側へ向かう空気流れは、面部材によってベルマウスへと案内される。
【００１０】
この結果、空気流れの偏流によって発生する乱流音を低減することが可能になる。
【００１１】
第２の発明に係る空気調和装置の室外ユニットは、第１の発明に係る空気調和装置の室外ユニットであって、熱交換器は、正面視において、ファンから離れた位置に熱交換部を有している。面部材は、熱交換部と面する場所にだけ配置されている。
【００１２】
通常、正面側から空気を排気する室外ユニットでは、正面視においてベルマウスから離れた位置の熱交換部を通り抜ける空気流れは、ベルマウスに近い位置の熱交換部を通り抜ける空気流れよりも大きく偏流しつつ、下流側のベルマウスへと向かう。そのため、正面視においてベルマウスから離れた位置の熱交換部を通り抜ける空気流れでは、ベルマウスに近い位置の熱交換部を通り抜ける空気流れよりも大きな乱流音を生じる場合がある。
【００１３】
これに対して、第２の発明に係る空気調和装置の室外ユニットでは、面部材は、正面視においてファンから離れた位置の熱交換部と面する場所にだけ配置されている。
【００１４】
このため、正面視においてファンから離れた位置の熱交換部と面する場所にだけ面部材を配置して、空気流れの偏流を効果的に抑制することができる。
【００１５】
これにより、ベルマウスに向かう空気流れの偏流を抑制して乱流音を効果的に低減することができる。
【００１６】
第３の発明に係る空気調和装置の室外ユニットは、第１の発明に係る空気調和装置の室外ユニットであって、熱交換器は、ベルマウスに近い位置に配置された第１熱交換部と、第１熱交換部の上方に継ぎ足された第２熱交換部と、を有している。面部材は、ベルマウスの上方に配置されている。
【００１７】
現在、空気調和装置の室外ユニットにおいて、第２熱交換部を継ぎ足して熱交換器における熱交換の能力を向上させることが検討されている。
【００１８】
しかし、ベルマウスから離れた位置に第２熱交換部が配置されるため、第２熱交換部を通り抜けてベルマウスへと流れる空気流れの偏流が大きくなり乱流音が発生するという問題がある。
【００１９】
これに対して、第３の発明に係る空気調和装置の室外ユニットでは、面部材は、ベルマウスの上方に配置されている。このため、第２熱交換部を通り抜けた空気流れは、面部材によってベルマウスへと案内される。
【００２０】
これにより、空気流れの偏流によって発生する乱流音をより効果的に低減することが可能になる。
【００２１】
第４の発明に係る空気調和装置の室外ユニットは、第１から第３の発明のいずれか１つに係る空気調和装置の室外ユニットであって、ファンを支持するファンモータ台をさらに備えている。面部材は、ファンモータ台に保持されている。
【００２２】
ここでは、ファンモータ台によって、面部材を所定の位置に保持することができる。
【００２３】
第５の発明に係る空気調和装置の室外ユニットは、第３の発明に係る空気調和装置の室外ユニットであって、面部材は、正面視における水平方向の幅がベルマウスの正面視における水平方向の幅以上となるように形成されている。
【００２４】
ここでは、面部材の正面視における水平方向の幅は、ベルマウスの正面視における水平方向の幅以上となるように形成されている。
【００２５】
これにより、面部材によって、さらに広範囲の空気流れの偏流を抑制しつつ、ベルマウスへと空気を案内することが可能になる。
【００２６】
このため、空気流れの偏流によって発生する乱流音をさらに効果的に低減することができる。
【発明の効果】
【００２７】
第１の発明に係る空気調和装置の室外ユニットによれば、空気流れの偏流によって発生する乱流音を低減することが可能になる。
【００２８】
第２の発明に係る空気調和装置の室外ユニットによれば、ベルマウスに向かう空気流れの偏流を抑制して乱流音を効果的に低減することができる。
【００２９】
第３の発明に係る空気調和装置の室外ユニットによれば、空気流れの偏流によって発生する乱流音をより効果的に低減することが可能になる。
【００３０】
第４の発明に係る空気調和装置の室外ユニットによれば、ファンモータ台によって、面部材を所定の位置に保持することができる。
【００３１】
第５の発明に係る空気調和装置の室外ユニットによれば、空気流れの偏流によって発生する乱流音をさらに効果的に低減することができる。
【発明を実施するための最良の形態】
【００３２】
本発明の一実施形態に係る空気調和装置の室外ユニット１について、図１〜図５を用いて説明すれば以下の通りである。
【００３３】
＜室外ユニット１全体の構成＞
室外ユニット１は、室外に設置されており、図１〜図４に示すように、いわゆるトランク型の室外機である。
【００３４】
室外ユニット１は、図３に示すように、主として、ユニットケーシング２と、冷媒回路構成部品３と、ファン１１ａ、１１ｂと、電装品ユニット４５と、を備えている。そして、室外ユニット１は、室外ユニット１の背面および左側面から外気（空気）を内部へと吸い込んで、吸い込んだ空気と冷媒との間で熱交換を行なわせる。さらに、室外ユニット１は、熱交換を行なった空気を正面から排気する。
【００３５】
＜ユニットケーシング２＞
ユニットケーシング２は、図１および図２に示すように、略直方体状に形成されている。また、ユニットケーシング２は、図３または図４に示すように、主として、冷媒回路構成部品３と、ファン１１ａ、１１ｂと、電装品ユニット４５と、を格納する。そして、ユニットケーシング２は、底板２１と、左前板（正面部）２２ａと、上部左前板２２ｂと、右前板２２ｃと、右側板２３ａと、上部右側板２３ｂと、天板２８と、を有している。
【００３６】
ユニットケーシング２の正面は、図１および図３に示すように、左前板２２ａおよび上部左前板２２ｂによって正面視の左側側端から中央部やや右寄りの部分までが形成されている。また、右前板２２ｃによって上記中央部やや右寄りの部分から右側端までが形成されている。
【００３７】
左前板２２ａは、平面視において略Ｌ字状に形成されており、室外ユニット１の左側面から正面にかけて配置されている。なお、室外ユニット１の正面側の左前板２２ａには、吹き出し口２９ａ、２９ｂと、ベルマウス２７ａ、２７ｂとが設けられている。
【００３８】
吹き出し口２９ａ、２９ｂは、室外ユニット１の正面視において、図４等に示すように、円状に形成されており、上下方向に並んで配置されている。そして、吹き出し口２９ａ、２９ｂは、ファン１１ａ、１１ｂ（後段にて詳述）によってユニットケーシング２の背面（後段にて詳述）側および左側面（後段にて詳述）側から内部に取り込まれた空気を外部に排気するための開口部である。
【００３９】
ベルマウス２７ａ、２７ｂは、図４および図５に示すように、それぞれ、吹き出し口２９ａ、２９ｂの周縁から背面側へと延びるとともに、正面視における内径が変化する形状をしており、側面視あるいは平面視における断面形状が弧状に形成されている。また、ベルマウス２７ａ、２７ｂは、背面側の先端が空気流入端となっており、空気を正面側の吹き出し口２９ａ、２９ｂへと案内する。なお、ベルマウス２７ａ、２７ｂは、ほぼ同じ形状に形成されている。
【００４０】
上部左前板２２ｂは、平面視において略Ｌ字状に形成されて上下方向に延びる金属パネルであり、左前板２２ａの直上方に配置されている。
【００４１】
右前板２２ｃは、室外ユニット１の正面視における右側に配置されており、平面視において略Ｌ字状に形成されている。また、右前板２２ｃは、室外ユニット１の正面視における右側端で折り曲げられて背面側へと延びており、後段にて詳述するユニットケーシング２の右側面の正面側を形成している。
【００４２】
ユニットケーシング２の左側面は、図１および図３に示すように、正面視において、左前板２２ａおよび上部左前板２２ｂが室外ユニット１の左側端で折り曲げられ、後方へと延びて形成されている。なお、ユニットケーシング２の左側面には、前後方向（正面側から背面側へ向かう方向）に長い長方形状の空気吸い込み口２４ａが上下方向に並んで設けられている。
【００４３】
ユニットケーシング２の右側面は、図２および図３に示すように、正面視における室外ユニット１の右側端から背面側へと延びる右前板２２ｃによって正面側が形成されており、さらに、右側板２３ａおよび上部右側板２３ｂによって、背面側が形成されている。
【００４４】
ユニットケーシング２の背面は、図２に示すように、右側板２３ａおよび上部右側板２３ｂによって右側部分の一部が形成されている。そして、ユニットケーシング２の左側面の背面側の側端と、右側板２３ａおよび上部右側板２３ｂの背面側の側端との間には、開口スペースが形成されている。
【００４５】
なお、熱交換器３０（後段にて詳述）は、上記開口スペースに背面側が露出するように配置されている。
【００４６】
仕切り板２５は、図３に示すように、平面視において弧状に形成されており、上下方向に延びる金属製の仕切り部材である。そして、仕切り板２５は、図４に示すように、ユニットケーシング２の内部空間を左側の送風機室ＳＰ１と右側の機械室ＳＰ２とに区画するように配置されている。
【００４７】
管板２６は、熱交換器３０の背面側の端面に対応するように設けられた金属製の板状部材である。
【００４８】
ファンモータ台１２は、図３および図５に示すように、送風機室ＳＰ１（図４参照）において熱交換器３０の正面側に配置されており、底板２１から天板２８まで上下方向に延びている。ファンモータ台１２は、後段にて詳述するファン１１ａ、１１ｂ等を支持する支持部材である。なお、ファンモータ台１２の上部には、正面側へと略水平に延びるステー１２ａが設けられている。
【００４９】
面部材２０は、図５に示すように、ステー１２ａの正面側の先端に取り付けられており、ユニットケーシング２の正面を形成する上部左前板２２ｂと面するように配置された箱状の部材である。そして、面部材２０は、後段にて詳述する面２０ａを含んでいる。
【００５０】
ここで、面部材２０の配置についてより具体的に説明すると以下の通りである。
【００５１】
面部材２０は、図５に示すように、側面視において、面部材２０における背面側の面、すなわち面２０ａの前後位置（ユニットケーシング２の正面から背面へと向かう方向の位置）がベルマウス２７ａ、２７ｂの空気流入端の前後位置と略同じ位置となるように配置されている。また、面部材２０は、正面視において、図４に示すように、吹き出し口２９ａ、２９ｂから離れた位置に配置された第２熱交換部３２（後段にて詳述）と面する場所に配置されている。なお、面部材２０の正面視における略水平方向の幅Ｈ１（図４参照）は、吹き出し口２９ａ、２９ｂの正面視における略水平方向の幅Ｈ２（図４参照）よりも大きくなるように形成されている。
【００５２】
＜ファン１１ａ、１１ｂ＞
ファン１１ａ、１１ｂは、図３に示すように、複数の翼を有するプロペラファンであり、送風機室ＳＰ１（図４参照）において、熱交換器３０の正面側のファンモータ台１２に吹き出し口２９ａ、２９ｂと面するように上下方向に並んで２基取り付けられている。このファン１１ａ、１１ｂを回転駆動すると、室外ユニット１の内部が負圧状態となって、室外ユニット１の背面側に形成された上記開口スペースあるいは空気吸い込み口２４ａからユニットケーシング２の正面へと向かう空気流れが生成される。そして、上記空気流れによって、熱交換器３０を通過した空気は左前板２２ａの吹き出し口２９ａ、２９ｂから外部へと吹き出される。
【００５３】
＜冷媒回路構成部品３＞
冷媒回路構成部品３は、図３および図４に示すように、熱交換器３０、圧縮機４０、レシーバ４１、四路切換弁４２、閉鎖弁３７、３８等を備えている。
【００５４】
熱交換器３０は、送風機室ＳＰ１において、室外ユニット１の左側面から背面に沿って配置されており、第１熱交換部３１と第２熱交換部３２とを有している。そして、第１熱交換部３１および第２熱交換部３２は、室外ユニット１の左側面あるいは背面側から吸い込まれた空気が通りに抜ける際に、内部を流れる冷媒と空気との間で熱交換を行なわせる。
【００５５】
第１熱交換部３１は、上下方向の高さが左前板２２ａとほぼ同じ高さとなるように形成されており、ベルマウス２７ａ、２７ｂと面するように配置されている。なお、図５に示すように、室外ユニット１の背面から吸い込まれた空気のうち、第１熱交換部３１を通りぬける空気は、経路Ｃ、Ｄ、Ｅ、Ｆに沿って下流側のベルマウス２７ａ、２７ｂへと流れる。そして、空気は、ベルマウス２７ａ、２７ｂを通り抜けて吹き出し口２９ａ、２９ｂから外部へと排気される。
【００５６】
第２熱交換部３２は、第１熱交換部３１の直上方に継ぎ足して配置されており、上部左前板２２ｂと面するように配置されている。また、図５に示すように、室外ユニット１の背面から吸い込まれた空気のうち、第２熱交換部３２を通り抜ける空気は、第２熱交換部３２を通り抜けてから下流側に配置された面部材２０の面２０ａによってベルマウス２７ａへと経路Ａ、Ｂに沿って誘導される。そして、空気は、ベルマウス２７ａを通り抜けて吹き出し口２９ａから外部へと排気される。
【００５７】
これにより、空気流れの偏流によって発生する乱流音を低減させることができている。
【００５８】
＜室外ユニット１の特徴＞
（１）
本実施形態の室外ユニット１は、図５に示すように、熱交換器３０と、ユニットケーシング２と、ファン１１ａ、１１ｂと、面部材２０と、を備えている。熱交換器３０は、空気が通り抜けるときに、空気と熱交換器３０内を流れる冷媒との間で熱交換を行なわせる。ユニットケーシング２は、ベルマウス２７ａ、２７ｂが設けられた左前板２２ａを有しており、熱交換器３０を格納している。ファン１１ａ、１１ｂは、ベルマウス２７ａ、２７ｂと対応して配置されており、ユニットケーシング２の背面側から正面側に向かう空気流れを生成する。
【００５９】
通常、このような室外ユニット１において、面部材２０を設けない場合には、図６に示すように、第２熱交換部３２を背面側から正面側へと通り抜ける空気は、経路Ａ′、Ｂ′に沿って第２熱交換部３２から吹き出し口２９ａへと進む。そのため、領域Ｚにおいて、空気流れが大きく偏流し、乱流音が発生する。
【００６０】
これに対して、本実施形態の室外ユニット１では、図５に示すように、面部材２０は、ベルマウス２７ａ、２７ｂの空気流入端と略同じ前後位置に配置された面２０ａが含まれている。このため、第２熱交換部３２を背面側から正面側へと通り抜ける空気は、面部材２０によってベルマウス２７ａへと誘導される。
【００６１】
これにより、第２熱交換部３２を背面側から正面側へと通り抜ける空気を経路Ａ、Ｂに沿って進ませることができる。
【００６２】
この結果、空気流れの偏流によって発生する乱流音を低減させることができる。
【００６３】
（２）
本実施形態の室外ユニット１において、図５に示すように、熱交換器３０は、正面視において、ファン１１ａ、１１ｂから離れた位置に第２熱交換部３２を有している。面部材２０は、第２熱交換部３２と面する場所にだけ配置されている。
【００６４】
一般に、正面から空気を排気する室外ユニットでは、正面視において、ベルマウスから離れた位置に配置された熱交換部を通り抜ける空気流れは、ベルマウスに近い位置の熱交換部を通り抜ける空気流れよりも大きく偏流し、大きな乱流音を生じる場合がある。
【００６５】
これに対して、本実施形態の室外ユニット１では、面部材２０は、正面視において、ファン１１ａ、１１ｂから離れた位置に配置されている第２熱交換部３２と面する場所にだけ配置されている。
【００６６】
このため、空気流れの偏流が大きい第２熱交換部３２を通り抜ける空気流れの偏流を低減して、乱流音の発生を効果的に抑制することができる。
【００６７】
（３）
本実施形態の室外ユニット１において、図５に示すように、熱交換器３０は、ベルマウス２７ａ、２７ｂに近い位置に配置された第１熱交換部３１と、第１熱交換部３１の上方に継ぎ足された第２熱交換部３２と、を有している。面部材２０は、ベルマウス２７ａ、２７ｂの上方に配置されている。
【００６８】
このため、第２熱交換部３２を通り抜けた空気流れは、面部材２０によってベルマウス２７ａへと誘導される。
【００６９】
この結果、空気流れの偏流によって発生する乱流音をより効果的に低減することができる。
【００７０】
（４）
本実施形態の室外ユニット１は、ファン１１ａ、１１ｂを支持するファンモータ台１２を備えている。面部材２０は、ファンモータ台１２に保持されている。
【００７１】
このため、ファンモータ台１２によって面部材２０を所定の位置に保持することができる。
【００７２】
（５）
本実施形態の室外ユニット１では、面部材２０は、正面視における水平方向の幅Ｈ１がベルマウス２７ａ、２７ｂの正面視における水平方向の幅Ｈ２よりも大きくなるように形成されている。
【００７３】
これにより、空気流れの偏流によって発生する乱流音をさらに効果的に低減することができる。
【００７４】
＜他の実施形態＞
以上、本発明の一実施形態について説明したが、本発明は上記実施形態に限定されるものではなく、発明の要旨を逸脱しない範囲で種々の変更が可能である。
【００７５】
（Ａ）
上記実施形態では、図５に示すように、室外ユニット１は、室外ユニット１の側面視において、ベルマウス２７ａの空気流入端と略同じ前後位置となるように配置された面２０ａが設けられた面部材２０を備えている例を挙げて説明した。しかし、本発明はこれに限定されるものではない。
【００７６】
例えば、面部材２０を設ける代わりに、ベルマウス２７ａの空気流入端をベルマウスの正面視における径方向外向きに伸ばしても良い。
【００７７】
この場合にも、上記実施形態に係る室外ユニット１と同様の効果を得ることができる。
【００７８】
但し、この場合には、ベルマウスの製造コストが増加するので上記実施形態のように面部材２０を設ける方がより好ましい。
【００７９】
（Ｂ）
上記実施形態では、図５に示すように、室外ユニット１は、面部材２０を備えている例を挙げて説明した。しかし、本発明はこれに限定されるものではない。
【００８０】
例えば、乱流音をさらに低減したい場合には、面部材２０の背面側の面２０ａに吸音材を貼り付けても良い。
【００８１】
この場合には、室外ユニット１において、乱流音をさらに低減させることができる。
【００８２】
また、例えば、室外ユニット１における空気流れの偏流をさらに低減したい場合には、室外ユニット１内の適当な場所に整流板をさらに設けても良い。
【００８３】
この場合には、室外ユニット１において、空気流れの偏流によって発生する乱流音をさらに低減させることができる。
【００８４】
（Ｃ）
上記実施形態では、図５に示すように、室外ユニット１において、ファン１１ａ、１１ｂから離れた位置に配置された第２熱交換部３２と面する場所にだけ面部材２０が配置されている例を挙げて説明した。しかし、本発明はこれに限定されるものではない。
【００８５】
例えば、ベルマウス２７ａ、２７ｂの付近においても、空気流れの偏流による乱流音が発生している場所がある場合には、面部材を別途配置して空気流れの偏流を抑制しても良い。
【００８６】
この場合にも、上記実施形態に係る室外ユニット１と同様の効果を得ることができる。
【００８７】
（Ｄ）
上記実施形態では、図５に示すように、ステー１２ａを介してファンモータ台１２によって面部材２０が支持されている例を挙げて説明した。しかし、本発明はこれに限定されるものではない。
【００８８】
例えば、室外ユニット１において、面部材２０をファンモータ台１２に支持させる代わりに、面部材２０を左前板２２ａに支持させても良い。
【００８９】
この場合にも、上記実施形態に係る室外ユニット１と同様の効果を得ることができる。
【００９０】
（Ｅ）
上記実施形態では、図４に示すように、正面視において、面部材２０は、水平方向の幅Ｈ１がベルマウス２７ａの水平方向の幅Ｈ２よりも大きくなっている例を挙げて説明した。しかし、本発明はこれに限定されるものではない。
【００９１】
例えば、室外ユニット１における冷媒回路構成部品３等のレイアウトの都合に合わせて、面部材２０の正面視における水平方向の幅Ｈ１は、ベルマウス２７ａの正面視における水平方向の幅Ｈ２と同程度であっても良い。また、面部材２０の水平方向の幅Ｈ１は、ベルマウス２７ａの水平方向の幅Ｈ２より短くても良い。
【００９２】
これらの場合にも、上記実施形態にかかる室外ユニット１と同様の効果を得ることができる。
【００９３】
但し、これらの場合には、面部材２０の水平方向の幅がベルマウス２７ａの水平方向の幅に対して十分な長さではないため、乱流音を低減させる効果が十分に得られないおそれがある。そのため、上記実施形態のように、面部材２０の水平方向の幅Ｈ１は、ベルマウス２７ａの水平方向の幅Ｈ２よりも大きい方がより好ましい。
【００９４】
（Ｆ）
上記実施形態では、図４に示すように、室外ユニット１において、左前板２２ａには、２つの吹き出し口（吹き出し口２９ａ、２９ｂ）と、上記２つの吹き出し口に対応する２つのベルマウス（ベルマウス２７ａ、２７ｂ）がそれぞれ設けられている例を挙げて説明した。しかし、本発明はこれに限定されるものではない。
【００９５】
例えば、室外ユニット１の仕様に応じて、左前板２２ａには、吹き出し口と、吹き出し口に対応するベルマウスと、をそれぞれ１つずつ設けても良い。また、吹き出し口と、吹き出し口に対応するベルマウスと、をそれぞれ３つずつ以上設けても良い。
【００９６】
これらの場合にも、上記実施形態にかかる室外ユニット１と同様の効果を得ることができる。
【産業上の利用可能性】
【００９７】
本発明の空気調和装置の室外ユニットは、空気流れの偏流によって発生する乱流音を低減させるという効果を奏することから、空気調和装置の室外ユニットに対して広く適用可能である。
【図面の簡単な説明】
【００９８】
【図１】本発明の一実施形態に係る空気調和装置の室外ユニットの正面側の外観を示す斜視図。
【図２】図１に示す空気調和装置の室外ユニットの背面側の外観を示す斜視図。
【図３】図１に示す空気調和装置の室外ユニットの内部構成を示す分解図。
【図４】図１に示す空気調和装置の室外ユニットにおいて、面部材および仕切り板が取り付けられた状態を示す分解図。
【図５】図１に示す空気調和装置の室外ユニットにおいて、空気流れの経路を示す側面図。
【図６】図５に示す側面図において、面部材を取り除いた場合における空気流れの経路を模式的に示す図。
【符号の説明】
【００９９】
１      室外ユニット（空気調和装置の室外ユニット）
２      ユニットケーシング
３      冷媒回路構成部品
１１ａ、１１ｂ  ファン
１２      ファンモータ台
１２ａ    ステー
２０      面部材
２０ａ    面
２１      底板
２２ａ    左前板（正面部）
２２ｂ    上部左前板
２２ｃ    右前板
２３ａ    右側板
２３ｂ    上部右側板
２３ｃ    支持部
２４ａ    空気吸い込み口
２７ａ、２７ｂ  ベルマウス
２８      天板
２９ａ、２９ｂ  吹き出し口
３０      熱交換器
３１      第１熱交換部
３２      第２熱交換部
Ｈ１、Ｈ２  幅
ＳＰ１  送風機室
ＳＰ２  機械室
【図１】
2008128563.tif 000003
【図２】
2008128563.tif 000004
【図３】
2008128563.tif 000005
【図４】
2008128563.tif 000006
【図５】
2008128563.tif 000007
【図６】
2008128563.tif 000008